(57)【要約】      （修正有）【課題】搬送等の際の収納物の保護性に優れ、前記収納物を容易に展示でき、また容易に前記収納物を戻すことができ、さらには保存性にも優れた収納ケースを提供する。【解決手段】外ケースと収納部を有する内ケース２とにより成り、前記外ケースは、外ケースの本体部３と外ケースの内ケース保持部４とを有し、両者が互いにヒンジ部により折曲可能に連結され、前記外ケース内部に対して前記内ケースをスライド可能に配置することができるように構成する。前記内ケースの収納部１７を展示するときは、前記外ケースの本体部に前記内ケースを立てかけて前記内ケースの収納部を展示する。展示しないときは、前記外ケース内部に前記内ケースを挿入することにより、全体として箱形状とする。【選択図】図５
0003152373.tif 000002
【実用新案登録請求の範囲】
【請求項１】
外ケースと収納部を有する内ケースと、を備え、
前記外ケースが、外ケースの本体部と外ケースの内ケース保持部とを有し、前記外ケースの本体部と前記外ケースの内ケース保持部とが互いにヒンジ部により折曲可能に連結され、
前記外ケースの本体部開口面と前記外ケースの内ケース保持部開口面とが前記ヒンジ部により連結されている側で互いに接することにより、前記外ケース内部に対して前記内ケースをスライド可能に配置することができる収納ケースであって、
前記内ケースの収納部を展示するときは、
前記外ケースの内ケース保持部に前記内ケースを挿通し、
前記内ケースの背面を前記外ケースの本体部により支持することにより、前記外ケースの本体部に前記内ケースを立てかけて前記内ケースの収納部を展示することができ、
前記内ケースの収納部を展示しないときは、
前記外ケース内部に前記内ケースを挿入することにより、全体として箱形状とすることができることを特徴とする、収納ケース。
【考案の詳細な説明】
【技術分野】
【０００１】
本考案は、収納物を展示する際等に使用される収納ケースに関するものである。
【背景技術】
【０００２】
パンフレット、各種伝票、ビデオテープ、ＤＶＤ等を店頭や会場等の場所に展示する際には、これらのものを収納ケースに梱包して展示場所まで郵送等の手段により搬送し、開封してこれらのものを取り出してから展示する必要がある。
搬送中に前記収納ケースの収納物であるパンフレット、各種伝票、ビデオテープ、ＤＶＤ等が破損しないように、前記収納ケースは一定以上の強度を有することが要求される。
このような収納物の破損等を防ぐことを目的として、従来の収納ケースよりも強度を向上させた収納ケースが提案されている。
提案された収納ケースは、内部に四角柱を配置することにより強度が増すとともに収納物の取り出し性に優れるとされる（特許文献１）。
【０００３】
しかし、これらの従来の収納ケースの場合、前記収納物を展示する際に収納ケースから収納物を取り出す必要があることや、前記収納物を展示するための展示台等を準備する必要があった。しかも前記収納物を展示している期間は、前記収納ケースを別途保存しておく必要があるため、前記収納ケースを紛失することなく保存しておく場所を確保する必要もあった。
また展示が終了した場合は前記収納物を再度収納ケースに戻す作業が必要になるが、前記収納物毎に収納ケースが異なる場合には個別に前記収容物を確認しながら前記収納ケースに収納物を戻す作業が必要となるため、その収納にさらに時間が掛る等の問題があった。
【先行技術文献】
【特許文献】
【０００４】
【特許文献１】特開２００５−１７０４９５号公報
【考案の概要】
【考案が解決しようとする課題】
【０００５】
本考案が解決しようとする問題点は、搬送等の際の収納物の保護性に優れ、前記収納物を容易に展示することができ、また容易に前記収納物を戻すことができ、さらには保存性にも優れた収納ケースを提供することにある。
【課題を解決するための手段】
【０００６】
上記課題を解決すべく考案者が鋭意検討した結果、外ケースと内ケースとを備えた収納ケースの中でも、前記外ケースの本体部と前記外ケースの内ケース保持部とが互いにヒンジ部により開閉可能に連結され、前記外ケースの内ケース保持部に前記内ケースを挿通して、前記外ケースの本体部に前記内ケースを立てかけて前記内ケースの収納部を展示することができる一方、前記外ケース内部に前記内ケースを挿入することにより、全体として箱形状とすることができる収納ケースが本考案の目的に適うことを見出し本考案を完成するに至った。
すなわち本考案は、
【０００７】
［１］外ケースと収納部を有する内ケースと、を備え、
前記外ケースが、外ケースの本体部と外ケースの内ケース保持部とを有し、前記外ケースの本体部と前記外ケースの内ケース保持部とが互いにヒンジ部により折曲可能に連結され、
前記外ケースの本体部開口面と前記外ケースの内ケース保持部開口面とが前記ヒンジ部により連結されている側で互いに接することにより、前記外ケース内部に対して前記内ケースをスライド可能に配置することができる収納ケースであって、
前記内ケースの収納部を展示するときは、
前記外ケースの内ケース保持部に前記内ケースを挿通し、
前記内ケースの背面を前記外ケースの本体部により支持することにより、前記外ケースの本体部に前記内ケースを立てかけて前記内ケースの収納部を展示することができ、
前記内ケースの収納部を展示しないときは、
前記外ケース内部に前記内ケースを挿入することにより、全体として箱形状とすることができることを特徴とする、収納ケースを提供するものである。
【考案の効果】
【０００８】
本考案の収納ケースによれば、簡単な操作により収納ケース自体を展示台として使用することができるため、収納物を簡単に展示することができる。
また本考案の収納ケースは、収納物を簡単に収納することができ、強度にも優れるため、収納物の搬送に適する一方、簡単に収納物を展示したり箱形状内部に収納したりすることができるため、展示の際に要する時間を短縮することができ、単位時間当たりの作業性に優れる。また簡単に収納物を箱形状内部に収納することができることから保管管理性にも優れる。
【図面の簡単な説明】
【０００９】
【図１】本考案である収納ケースの第１の実施例を例示した模式斜視図である。
【図２】第１の実施例に使用する外ケース１を例示した模式斜視図である。
【図３】第１の実施例に使用する外ケース１をヒンジ部で折り曲げた状態を例示した模式斜視図である。
【図４】第１の実施例に使用する内ケース２を例示した模式斜視図である。
【図５】本考案である収納ケースの第１の実施例の使用状態を例示した模式斜視図である。
【図６】本考案である収納ケースの第１の実施例の使用状態を例示した模式斜視図である。
【図７】本考案である収納ケースの第２の実施例を例示した模式斜視図である。
【図８】本考案である収納ケースの第２の実施例を例示した模式斜視図である。
【図９】本考案である収納ケースの第３の実施例を例示した模式斜視図である。
【図１０】本考案である収納ケースの第３の実施例を例示した模式斜視図である。
【図１１】本考案である収納ケースの第４の実施例を例示した模式斜視図である。
【図１２】本考案である収納ケースの第４の実施例を例示した模式斜視図である。
【図１３】本考案である収納ケースの第５の実施例を例示した模式斜視図である。
【図１４】収納ケースに入れて使用するセパレータ５２０を例示した模式斜視図である。
【考案を実施するための形態】
【００１０】
以下に実施例に基づき本考案を詳細に説明するが、本考案はこれらの実施例に何ら限定されるものではない。
【実施例１】
【００１１】
図１は、本考案である収納ケースの第１の実施例を例示した模式斜視図である。
図１に例示されるように、本考案の収納ケースは、外ケース１と内ケース２とを有する。前記内ケース２は前記外ケース１内部において、一方向にスライドさせることができる。
【００１２】
また前記外ケース１は外ケースの本体部３と外ケースの内ケース保持部４とを有する。図１では図示されていないが、前記外ケースの本体部３と前記外ケースの内ケース保持部４とは前記外ケース１の背面でヒンジ部により連結されている。
また前記外ケース１は、前記外ケースの内ケース保持部４側の両端に開放部５を有している。この開放部５を通して例えば親指と人差指により前記内ケース２を保持して、前記外ケース１から前記内ケース２を引き出したり、押し込んだりして、一方向にスライドさせることができる。
【００１３】
図２は第１の実施例に使用する外ケース１を例示した模式斜視図である。
前記外ケース１は直方体の箱形状となっていて、前記外ケース１の内ケース保持部４側の一端に開口部６を有している。この開口部６から前記外ケース１の内部に前記内ケース２を挿入することができる。
【００１４】
なお、前記外ケース１の開口部６と反対側の一端は通常の箱と同様に底面に相当する面を有しているため、前記内ケース２を前記外ケース１に挿入した際に、反対側に前記内ケース２が突き抜けることを防止することができる構造となっている。
【００１５】
図３は第１の実施例に使用する外ケース１をヒンジ部で折り曲げた状態を例示した模式斜視図である。
前記外ケースの本体部３と前記外ケースの内ケース保持部４とは互いにヒンジ部７により接続されていて、前記外ケースの本体部３と前記外ケースの内ケース保持部４とが互いに自由に折れ曲がることができる構造となっている。
【００１６】
前記外ケースの本体部３と前記外ケースの内ケース保持部４とを互いに水平にすると、前記外ケースの本体部３の開口側面８と、前記外ケースの内ケース保持部４の開口側面９とが接する。
この様に前記外ケースの本体部３開口面１０と前記外ケースの内ケース保持部４開口面１１とを前記ヒンジ部７により連結されている側で互いに接するようにすることにより、図２に例示した様に前記外ケース内部に対して前記内ケースをスライド可能に配置することができる。
【００１７】
図４は第１の実施例に使用する内ケース２を例示した模式斜視図である。
前記内ケース２は、前面１２、側面１３、底面１４、背面１５および支持面１６からなり、前面１２、側面１３、底面１４および支持面１６により収納物を入れる収納部１７が構成されている。
【００１８】
この収納部１７には、例えば、カード、伝票、送り状、リーフレット、パンフレット等の収納物を入れることができる。
これらの収納物は、前記支持面１６により、前記全面１２側に押し付けられるため、安定して前記収納部１７に入れておくことができる。
なお前記支持面１６は、前記背面１５を折り返した面により構成されている。
また前記前面１２は、先の図２に例示した前記外ケースの本体部３の前面の形状と一致させることが好ましい。
【００１９】
図５は本考案である収納ケースの第１の実施例の使用状態を例示した模式斜視図である。
図５に例示される様に、前記外ケースの内ケース保持部４に前記内ケース２を挿通し、
前記内ケース２の背面１５を前記外ケースの本体部３により支持することにより、前記外ケースの本体部３に前記内ケース２を立てかけて前記内ケース２の収納部１７を展示することができる。
【００２０】
図６は本考案である収納ケースの第１の実施例の使用状態を例示した模式斜視図である。
前記内ケース２の背面１５には直線状の切り込み１８が設けられていて、前記外ケースの本体部３に設けられた突設部１９を前記切り込み１８に対してはめ合わせることにより、安定して前記外ケースの本体部３に前記内ケース２を立てかけることができる。
前記外ケースの本体部３と前記内ケース２との角度調整は、前記外ケースの本体部３に設けられた突設部１９の長さを調整することにより行うことができる。
【００２１】
図５または図６に例示された本考案の収納ケースを図２に例示された形状に戻すには、例えば、前記外ケースの内ケース保持部４の両側面を右手の親指と人差指で支え、左手の親指と人差指により前記外ケースの内ケース保持部４側の両端開放部５を通して前記内ケース２を引き出し、前記外ケースの本体部３と前記外ケースの内ケース保持部４とを互いに水平にした後、再度前記内ケース２を前記外ケース１内部に押し込むことにより行うことができる。この操作は僅か数秒以内に行うことが可能である。
【００２２】
図２に例示される箱状の収納ケースを図５または図６に例示された本考案の収納ケースの形状とするには上記に説明した逆の操作を行う。同様に僅か数秒以内に本考案の第１の実施例に示した収納ケースの収納部を展示することができる。
【００２３】
なお、本考案に使用される素材に特に限定はないが、例えば、厚紙、段ボール紙等の紙類、プラスチック類、金属類等やこれらの組み合わせ等を使用することができる。
【実施例２】
【００２４】
実施例２は、実施例１の変形例を示したものである。
図７および図８は、本考案である収納ケースの第２の実施例を例示した模式斜視図である。
実施例１と異なる点は、外ケースの本体部２０に突設部が設けられていない点である。外ケースの本体部２０と外ケースの内ケース保持部２２とは、外ケース２００の側面を斜めに横切る開口側面２４，２６を有していて、前記外ケースの本体部２０の開口面が、内ケース２１０の背面を支持する構造となっている。
【実施例３】
【００２５】
実施例３は、実施例１の変形例を示したものである。
図９および図１０は、本考案である収納ケースの第３の実施例を例示した模式斜視図である。
実施例３の場合は、内ケース３１０の前面に切り込みを入れて折り返し、、ビデオテープ等を入れる収納部３２０が形成されている点が実施例１の場合と異なる。
また前記収納部３２０には円形の繰り抜き部分３０が設けられているため、収納部３２０内部のビデオテープ等を簡単に取り出すことができる。
【実施例４】
【００２６】
実施例４は、実施例２の変形例を示したものである。
図１１および図１２は、本考案である収納ケースの第４の実施例を例示した模式斜視図である。
実施例４の場合は、外ケース４００および内ケース４１０が横に長い形状となっているため、パンフレットやリーフレット等の資料を展示するのに至便である。
【実施例５】
【００２７】
実施例５は、実施例４の変形例を示したものである。
図１３は、本考案である収納ケースの第５の実施例を例示した模式斜視図である。
図１４は収納ケースに入れて使用するセパレータ５２０を例示した模式斜視図である。
実施例４の収納ケースにセパレータ５２０を挿入することにより、内ケース５１０内部を区画することができ、幅広く本考案の収納ケースを使用することができる。
【符号の説明】
【００２８】
１、２００、３００、４００、５００    外ケース
２、２１０、３１０、４１０、５１０    内ケース
３、２０    外ケースの本体部
４、２２    外ケースの内ケース保持部
５    開放部
６    開口部
７    ヒンジ部
８、９、２４、２６    開口側面
１０、１１    開口面
１２    前面
１３    側面
１４    底面
１５    背面
１６    支持面
１７    収納部
１８    直線状の切り込み
１９    突設部
３０    繰り抜き部分
３２０    収納部
５２０    セパレータ
【図１】
0003152373.tif 000003
【図２】
0003152373.tif 000004
【図３】
0003152373.tif 000005
【図４】
0003152373.tif 000006
【図５】
0003152373.tif 000007
【図６】
0003152373.tif 000008
【図７】
0003152373.tif 000009
【図８】
0003152373.tif 000010
【図９】
0003152373.tif 000011
【図１０】
0003152373.tif 000012
【図１１】
0003152373.tif 000013
【図１２】
0003152373.tif 000014
【図１３】
0003152373.tif 000015
【図１４】
0003152373.tif 000016